(57)【要約】【課題】  グリル部を使用して加熱調理する場合に、高速で調理し、かつ調理物の表面と裏面で焼色の差がないようにする。【解決手段】  グリル部６の加熱室１０内に設けられた焼網１３と、焼網１３を載置する受皿１４と、焼網１３より上に位置する上ヒータ１１と、焼網より下に位置し、上ヒータ１１と同じ定格電力を有する下ヒータ１２と、加熱室１０内の温度を検出する温度検出部１５とを備え、さらにグリル操作部７ａに前記下ヒータ１２及び上ヒータ１１へ交互通電を行う交互通電スイッチ１８と、下ヒータ１２及び上ヒータ１１に同時通電を行う同時通電スイッチ１９を設けた加熱調理器において、前記上ヒータ１１と下ヒータ１２への同時通電時に下ヒータ１２は最大電力で連続通電し、上ヒータ１１は断続通電で運転する。【選択図】図４
2008173204.tif 000002
【特許請求の範囲】
【請求項１】
本体内に設置されたグリル部と、外部から操作できるグリル操作部と、グリル部の加熱室内に設けられた焼網と、焼網を載置し加熱室内に出し入れ自在に収納された受皿と、前記焼網より上に位置する上ヒータと、焼網より下に位置し上ヒータと同じ定格電力を有する下ヒータと、加熱室内の温度を検出する温度検出部とを備え、さらに前記下ヒータ及び上ヒータへ交互に通電を行う交互通電スイッチと、下ヒータ及び上ヒータに同時通電を行う同時通電スイッチを設けた加熱調理器において、前記上ヒータと下ヒータへの同時通電時に下ヒータは最大電力で連続通電し、上ヒータは断続通電で運転することを特徴とする加熱調理器。
【発明の詳細な説明】
【技術分野】
【０００１】
本発明は、加熱室内に魚等の調理物を入れて上，下ヒータにより加熱するグリル部を備えた加熱調理器に関するものである。
【背景技術】
【０００２】
従来のこの種加熱調理器のグリル部は、加熱室内に出し入れ自在に収納された受皿内に焼網を載置し、その焼網上に魚等の調理物を載せ、それらを加熱室内に収納して加熱室内の上，下ヒータにより加熱し、調理物を焼き上げるのが一般的である。
【０００３】
そして、この加熱調理器は、器具単体で用いられるものや、誘導加熱調理器等の中に一体に組み込み、これをシステムキッチンの上面から中に落とし込んで設置される組み込み式のものがあり、近年では複合調理器として組み込み式のものが主流になりつつある。
【０００４】
この加熱調理器において、主要な課題は、グリル部によって魚等の調理物を加熱調理する場合に、調理物の両面を適度に焦げ目を付けて美味しく、かつ早く焼き上げることである。
【０００５】
この課題に対処するものとして特許文献１に示すものがある。
【０００６】
このものは、ロースター部の上ヒータ及び下ヒータを交互に通電する交互通電モードと同時に通電する同時通電モードとを備えており、交互通電モードを選択した場合には、最初に下ヒータ１２に通電し、次に上ヒータ１１に通電し、最後に下ヒータ１２に通電して魚等の調理物を焼き上げるものであり、また、上ヒータ，下ヒータを同時通電する同時通電モードを選択した場合には、上ヒータ，下ヒータの両方を同時通電して高速で魚等の調理物を焼き上げるものである。
【０００７】
【特許文献１】特開２００４−３３７３２２号公報
【発明の開示】
【発明が解決しようとする課題】
【０００８】
前記した特許文献１に示されている加熱調理器では、ロースター部の上ヒータと下ヒータを同時に通電する同時通電モードを選択した場合に、上ヒータと下ヒータを同時に最大電力で通電を行うため、魚等の調理物の裏面に適度な焦げ目が付く頃には表面が真っ黒に焼けてしまう仕上がりとなっていた。
【０００９】
これは魚等の表面を焼いている時、余分な水分や脂分が裏面へ回るので必然的に裏面が焼けにくく表面と裏面で焼色の差がでてしまうためである。
【課題を解決するための手段】
【００１０】
上記課題を解決するために本発明の請求項１では、本体内に設置されたグリル部と、外部から操作できるグリル操作部と、グリル部の加熱室内に設けられた焼網と、焼網を載置し加熱室内に出し入れ自在に収納された受皿と、前記焼網より上に位置する上ヒータと、焼網より下に位置し上ヒータと同じ定格電力を有する下ヒータと、加熱室内の温度を検出する温度検出部とを備え、さらに前記グリル操作部に前記下ヒータ及び上ヒータへ交互に通電を行う交互通電スイッチと、下ヒータ及び上ヒータに同時通電を行う同時通電スイッチを設けた加熱調理器において、前記上ヒータと下ヒータへの同時通電時に下ヒータは最大電力で連続通電し、上ヒータは断続通電で運転するものである。
【発明の効果】
【００１１】
本発明は上記の構成としたことにより、上ヒータと下ヒータへの同時通電時に魚等の調理物の表面と裏面で焼色の差がなくなり、しかも早く調理できるものである。
【発明を実施するための最良の形態】
【００１２】
以下本発明の一実施例を図面に基づいて詳細に説明する。図１は本発明の加熱調理器を誘導加熱調理器の中に組み込んだ状態の外観斜視図である。図２は同じく加熱調理器のグリル部の側面断面図であり、図３は同じく加熱調理器の操作部の正面図である。図４は同じく加熱調理器の上，下ヒータの動作図である。
【００１３】
図１において、１は本発明の加熱調理器が中に組み込まれた誘導加熱調理器の本体である。２はトッププレートで、本体１の上面に配置され、耐熱性の高い結晶化ガラスで構成されている。
【００１４】
３，４，５の円形は加熱部で、トッププレート２の下側で本体１内部の上部左右と中央後部に設けられており、トッププレート２の上方に置かれた鍋等の負荷（図示せず）を加熱する。加熱部３，４は誘導加熱用コイルで構成され、加熱部５は誘導加熱用コイル又はニクロムヒータ線の加熱式円形ヒータで構成されている。
【００１５】
６は加熱調理器を構成するグリル部で、本体１の左側下部に配置され、魚等の調理物を焼く部分である。
【００１６】
７は操作部で、本体１の前面右側の垂直面部に設けられている。なお、この操作部７は、図では本体１前面の垂直面部に露出した状態で設けられているが、所謂、カンガルーポケット式として通常は本体１の内部に収納され、使用時のみ操作部７が前面に露出する方式にしてもよい。
【００１７】
８は吸気口で、本体１後部の右側上方に設けられ、本体１の内部に冷却用空気を吸引する。９は排気口で、本体１後部の左側上方に設けられ、グリル部６からの排気および本体１内部を冷却した廃熱を排出する。
【００１８】
図２はグリル部６の詳細を示しており、１０は加熱室で、本体１内部に設けられ、その中で食材である魚等の調理物を加熱調理する。
【００１９】
加熱室１０の前面にはハンドル１６ａやガラス等で構成されたドア１６が設けられ、ドア１６を通して加熱室１０内の調理物の加熱状態が確認できる。
【００２０】
１４は受皿で、加熱室１０内に出し入れ自在に設けられ、魚等の調理物から発生して落下する油等を受ける。１３は焼網で、受皿１４の上に載置され、魚等を乗せる。受皿１４及び焼網１３はハンドル１６ａを引いたり押したりすることにより魚等の出し入れを行う。
【００２１】
１１は上ヒータで、加熱室１０の内部で、焼網１３より上に位置し、調理物の上面を焼く。１２は下ヒータで、加熱室１０の内部で、焼網１３より下に位置し、調理物の下面を焼く。
【００２２】
１５は温度検出部で、加熱室１０の内部に設けられ、加熱室１０内の温度を検出する。
【００２３】
次に、図３により操作部７を説明する。
【００２４】
操作部７は、左側にグリル操作部７ａ、右側に加熱操作部７ｂとを備えている。
【００２５】
グリル操作部７ａには、動作表示部２０と、丸焼き，切身，くし焼き等の複数の自動メニューを含んだ調理メニューを選択設定するメニュースイッチ１７、同じ定格電力に設定された上ヒータ１１，下ヒータ１２を交互に通電する通電モード選択用の交互通電スイッチ１８、そして、本発明である上ヒータ１１を断続運転、下ヒータ１２を連続通電で同時に通電する同時通電スイッチ１９を配置している。
【００２６】
また、加熱操作部７ｂには、詳述しないが操作つまみ２１や電源スイッチ２２等が設けられている。
【００２７】
次に、以上のような構成からなる加熱調理器のグリル部６の動作について説明する。
【００２８】
実施例の加熱調理器は、誘導加熱調理器に一体に組み込まれており、３口の加熱部３，４，５とグリル部６を有しているため、電源容量の制限により合計の電力が４.８ｋＷ 又は５.８ｋｗ に制限されている。
【００２９】
但し、この場合でも、グリル部６の上ヒータ１１及び下ヒータ１２は、魚等の調理物を十分に調理するためにそれぞれ１.２ｋＷ 程度の必要な電力が供給される。
【００３０】
例えば、最大電力が４.８ｋｗ に制限されている場合において、図１における誘導加熱用の右側の加熱部４で２.０ｋＷ 、左側の加熱部３で１.６ｋＷ 使用している時、グリル部６に使える電力は１.２ｋＷ となる。この場合にはグリル部の上ヒータ１１，下ヒータ１２を同時に使用できないので交互通電スイッチ１８をオンすることにより交互通電モードを選択して使用する。即ち、図４の上段に示すもので、最初に下ヒータ１２に通電し、次に上ヒータ１１に通電し、最後に下ヒータ１２に通電する交互通電モードである。
【００３１】
また、左右の加熱部３，４を使用していない場合や、その電力が少ない場合は、グリル部６の上ヒータ１１，下ヒータ１２を同時通電する同時通電スイッチ１９をオンし、同時通電モードを選択する
すると、図４の下段に示すように、上ヒータ１１と下ヒータ１２が同時に通電を開始する。
【００３２】
このとき、本発明においては、上ヒータ１１は断続運転、下ヒータ１２は連続運転することにより、上ヒータ１１より下ヒータ１２の方が電力の出力が強くなるので表面と裏面で焼色の差がなくなり、しかも早く調理できるものである。なお、上ヒータ１１の断続運転のＯＮ−ＯＦＦ時間は、それぞれ一定時間に設定してもよく、また調理物のメニューに応じて適宜設定することもできる。
【００３３】
このように、本発明は、グリル部６の使用に際して、上ヒータ１１及び下ヒータ１２を同時通電する同時通電モードを選択すると、上ヒータ１１を断続運転、下ヒータ１２を連続運転することにより、魚等の調理物の表面と裏面で焼色の差がなくなり、しかも早く調理できるものである。
【図面の簡単な説明】
【００３４】
【図１】本発明の一実施例を示す加熱調理器の外観斜視図である。
【図２】同じく加熱調理器のグリル部の側面断面図である。
【図３】同じく加熱調理器の操作部の正面図である。
【図４】同じく加熱調理器の上下ヒータの動作図である。
【符号の説明】
【００３５】
１  本体
２  トッププレート
３，４，５  加熱部
６  グリル部
７  操作部
７ａ  グリル操作部
１０  加熱室
１１  上ヒータ
１２  下ヒータ
１３  焼網
１５  温度検出部
１７  メニュースイッチ
１８  交互通電スイッチ
１９  同時通電スイッチ
【図１】
2008173204.tif 000003
【図２】
2008173204.tif 000004
【図３】
2008173204.tif 000005
【図４】
2008173204.tif 000006